(57)【要約】【課題】周縁部が便座蓋の内側に回り込んで便座蓋と便座との間に隙間が生じたり、便座蓋が閉まらなくなるのを防止することができ、外観が良好であるとともに、温水洗浄便座に用いた場合に便座蓋による良好な保温性が維持される便座蓋カバーを提供する。【解決手段】便座蓋カバー１０は、本体１の湾曲縁部１ａの中央部分、各傾斜縁部１ｂ寄りの部分に夫々設けられた第１フック３，３，３と、平坦縁部１ｃの両端部に設けられた係止部５，５と、傾斜縁部１ｂ，１ｂの湾曲縁部１ａ側の端部に設けられた第２フック部４，４とを備える。第１フック３は可撓性を有する合成樹脂からなり、鉤部３２の屈曲部分が便座蓋カバー１０の周縁部の端縁側にある状態で設けられている。便座蓋の側部の縁に第１フック３を係止して、便座蓋カバー１０を便座に装着する。【選択図】図２
0003186549.tif 000002
【実用新案登録請求の範囲】
【請求項１】
裏面を便座蓋の表面に当接して、該便座蓋の側面を覆う便座蓋カバーにおいて、
前記裏面の周縁部に、可撓性を有する合成樹脂からなり、屈曲部分が前記周縁部の端縁側にある状態で設けられたフックを複数備えることを特徴とする便座蓋カバー。
【請求項２】
前記フックは矩形板状をなし、一辺部分を屈曲させてあることを特徴とする請求項１に記載の便座蓋カバー。
【請求項３】
梯子状をなし、前記便座蓋の後端部を被覆する部分の横方向両側に、夫々ゴム紐を介して取着された係止部と、
該係止部より前記便座蓋の前側に夫々ゴム紐を介して取着され、先端部の幅が前記係止部の横桟部より狭く、該先端部が該横桟部に係止される第２のフックと
を備えることを特徴とする請求項１又は２に記載の便座蓋カバー。
【請求項４】
前記２つの係止部を交叉させた状態で、前記第２のフックを各係止部に係止するように構成されていることを特徴とする請求項３に記載の便座蓋カバー。
【請求項５】
弾性を有する合成繊維を含む芯糸をカバーリングしてなる地糸に、パイル糸を編成した後、収縮させてなり、
周縁部にゴム紐を設けてなることを特徴とする請求項１から４までのいずれか１項に記載の便座蓋カバー。
【考案の詳細な説明】
【技術分野】
【０００１】
本考案は、洋式便器の便座蓋を被覆する便座蓋カバーに関する。
【背景技術】
【０００２】
洋式便器はＯ型、Ｕ型等の便座と、該便座に対して揺動が可能な便座蓋とを備える。便座には便座カバーが装着され、便座蓋には便座蓋カバーが装着される。従来の便座蓋カバーは比較的太い糸が起毛状に植設された非伸縮性の織地の縁にゴム紐等の伸縮部材が取着されており、該伸縮部材を引き伸ばすことにより便座蓋に取着するように構成されている。
【０００３】
便座には温水洗浄便座と、非温水洗浄便座とがあり、温水洗浄便座は非温水洗浄便座に比べて大型であるため、温水洗浄便座用の便座蓋及び便座蓋カバーは非温水洗浄便座用に比べて大型となる。従って、温水洗浄便座用の便座蓋に対応した大型の便座蓋カバーと、非温水洗浄便座用の便座蓋に対応した小型の便座蓋カバーとが用いられている。
【０００４】
特許文献１には、伸縮可能な編地を収縮させてなり、周縁部に伸縮部材を設けた便座蓋カバーの発明が開示されている。この便座蓋カバーによれば、大きさが異なる便座蓋に装着することができる
【先行技術文献】
【特許文献】
【０００５】
【特許文献１】特開２００４−３４４５９１号公報
【考案の概要】
【考案が解決しようとする課題】
【０００６】
従来の非温水洗浄便座及び温水洗浄便座の場合、便座蓋は便座に載置するように構成されていたが、近年、便座の表面及び側面を便座蓋で完全に覆うように構成された温水洗浄便座が多く用いられている。この構成により、保温性が向上して省エネルギーが図られ、側面視で便座蓋と便座との間に隙間が生じて見栄えが悪くなっていたのが改善されている。
【０００７】
特許文献１等の従来の便座蓋カバーを上記の便座蓋に装着した場合、便座蓋カバーの周縁部が内側に巻き込まれることがあり、便座蓋と便座との間に隙間が生じて保温性が悪化し、外観が悪くなる可能性があるという問題があった。
【０００８】
また、現在、便座蓋には種々の大きさ及び形状のものがあり、１つの便座蓋カバーを種々の便座蓋に適用できることが求められている。
自動開閉型の便器も種々開発されているが、上述の従来の便座蓋カバーを自動開閉型の便座蓋に装着した場合には、便座蓋カバーが便座蓋の内側に回り込むことにより、自動開閉ができなくなる虞があった。さらに、便座蓋の開閉を行うために便座蓋カバーは軽量であることが求められているが、従来の便座蓋カバーの中には、不織布からなる基布にパイル糸をタフトしてなるもの等、質量が大きく、自動開閉型の便器には使用できないものが多いという問題もあった。
【０００９】
本考案は斯かる事情に鑑みてなされたものであり、周縁部が便座蓋の内側に回り込んで便座蓋と便座との間に隙間が生じたり、便座蓋が閉まらなくなるのを防止することができ、外観が良好であるとともに、温水洗浄便座に用いた場合に便座蓋による良好な保温性が維持される便座蓋カバーを提供することを目的とする。
また、本考案は、軽量であり、伸縮性が良好であり、自動開閉型の便器の便座蓋を含み、種々の大きさ及び形状を有する便座蓋に適用することができる便座蓋カバーを提供することを目的とする。
【課題を解決するための手段】
【００１０】
本考案に係る便座蓋カバーは、裏面を便座蓋の表面に当接して、該便座蓋の側面を覆う便座蓋カバーにおいて、前記裏面の周縁部に、可撓性を有する合成樹脂からなり、屈曲部分が前記周縁部の端縁側にある状態で設けられたフックを複数備えることを特徴とする。
【００１１】
本考案においては、便座蓋の側部の縁部にフックを係止するように構成されているので、便座蓋により便座の表面及び側面を覆うタイプの便座蓋に装着した場合、便座蓋カバーの周縁部の一部が便座蓋の内側に回り込み、便座と干渉して便座蓋と便座との間に隙間が生じたり、便座蓋が閉まらなくなるのを防止することができる。従って、便座蓋による良好な保温性及び意匠性が維持される。また、自動開閉型の便器の便座蓋に装着した場合には、便座蓋カバーが便座蓋の内側に回り込むことにより自動開閉ができなくなるという問題が生じない。
【００１２】
本考案に係る便座蓋カバーは、前記フックは矩形板状をなし、一辺部分を屈曲させてあることを特徴とする。
【００１３】
本考案においては、フックが便座蓋の側面の縁部に確実に係止され、便座蓋カバーの周縁部が内側に巻き込まれるのが確実に防止される。
【００１４】
本考案に係る便座蓋カバーは、梯子状をなし、前記便座蓋の後端部を被覆する部分の横方向両側に、夫々ゴム紐を介して取着された係止部と、該係止部より前記便座蓋の前側に夫々ゴム紐を介して取着され、先端部の幅が前記係止部の横桟部より狭く、該先端部が該横桟部に係止される第２のフックとを備えることを特徴とする。
【００１５】
本考案においては、便座蓋を閉じて、便座蓋及び便座を枢支する枢軸を内蔵する枢軸部と便座蓋との間に係止部を挿通させ、便座蓋を上げて、各係止部に各第２のフックを係止する。このとき便座蓋カバー本体の伸び具合をみて、第２のフックを係止する横桟部を選択し、長さを調節して便座蓋カバーを便座蓋にフィットさせることができる。従って、種々の大きさの便座蓋に装着することができる。
【００１６】
本考案に係る便座蓋カバーは、前記２つの係止部を交叉させた状態で、前記第２のフックを各係止部に係止するように構成されていることを特徴とする。
【００１７】
本考案の便座蓋カバーを小型の便座蓋に装着する場合、便座蓋カバーの後端側の端部を便座蓋の後端部に引っ掛けることができるので、便座蓋の後端部と枢軸部との間の隙間に係止部を挿入することなく、便座蓋の両側から係止部を便座蓋の裏面側へ配することができる。そして、係止部をクロスさせた状態で、第２フックに引掛けることにより、便座蓋カバーが便座蓋に密着し、便座蓋から外れるのが防止される。
【００１８】
本考案に係る便座蓋カバーは、弾性を有する合成繊維を含む芯糸をカバーリングしてなる地糸に、パイル糸を編成した後、収縮させてなり、周縁部にゴム紐を設けてなることを特徴とすることを特徴とする。
【００１９】
本考案においては、周縁部が伸縮性を有するので、容易に、便座蓋の側部の適切な部分にフックを係止することができる。
そして、基布にパイル加工したものと異なり、軽量であり、便座蓋カバーの伸縮性が良好であるので、種々の大きさ及び形状を有する便座蓋に適用することができ、自動開閉型の便器にも使用することができる。編成時のゲージ数を適宜の値にすることで、伸縮性を大きくするとともに、より軽量にすることができる。
【考案の効果】
【００２０】
本考案によれば、便座蓋の側部の縁部にフックを係止するように構成されているので、便座蓋により便座の表面及び側面を覆うタイプの便座蓋に装着した場合、便座蓋カバーの周縁部が便座蓋の内側に回り込み、便座と干渉して便座蓋と便座との間に隙間が生じたり、便座蓋が閉まらなくなるのを防止することができる。従って、便座蓋による良好な保温性が維持され、外観が良好である。
【図面の簡単な説明】
【００２１】
【図１】本考案の実施の形態に係る便座蓋カバーを便器の便座蓋に取り付けた状態を示す斜視図である。
【図２】本考案の実施の形態に係る便座蓋カバーを示す平面図である。
【図３】本考案の実施の形態に係る便座蓋カバーの第１フックを便座蓋の側部の縁部に係止する状態を示す一部平面図である。
【図４】本考案の実施の形態に係る便座蓋カバーを便座蓋に取り付けた状態を示す正面図である。
【図５】本考案の実施の形態に係る便座蓋カバーにより、他の非温水洗浄便座が有する便座蓋を覆った状態を示す平面図である。
【考案を実施するための形態】
【００２２】
以下、本考案をその実施の形態を示す図面に基づいて具体的に説明する。
図１は本考案に係る便座蓋カバー１０を便器２０の便座蓋２２に取り付けた状態を示す斜視図、図２は便座蓋カバー１０を示す平面図である。図２においては、第１フック３を視認することができるように、便座蓋カバー１０の周縁部を折り返してある。
【００２３】
便器２０は、便器本体２１と、便座蓋２２と、便座２３（図４参照）と、枢軸部２４と（図４参照）を備える。便器本体２１は、床面に固定される下端部から上端部の開口を縁取る上縁にかけてその内部空間が広くなるように形成されたウス型をなす。便座蓋２２は、前記開口に対応する舌状の平板部２２１と、平板部２２１の周縁に垂設された側部２２２とを有する（図４参照）。便座２３は便器本体２１と便座蓋２２との間に介在し、便座蓋２２と同一の平面形状をなし、中央部に丸穴である便器穴を有する。便座蓋２２及び便座２３は、枢軸部２４に内蔵され、後縁に沿う略平行な枢軸（不図示）により回動自在に枢支されている。便座蓋２２を閉じたとき、便座２３の表面及び側面は便座蓋２２の平板部２２１及び側部２２２により夫々覆われる。
【００２４】
便座蓋カバー１０は、平板部２２１及び側部２２２を覆うように便座蓋２２に装着されている。
便座蓋カバー１０は、本体１と、ゴム紐部２と、第１フック３，３，３と、第２フック４，４と、係止部５，５とを備える。
【００２５】
本体１の裏面が、便座蓋２２の表面に当接する。本体１の編地は、例えばポリウレタン等を含む芯糸をナイロン、ポリエステル等でカバーリングしてなり、弾性を有する地糸と、例えばアクリル等を含むループ糸とをパイル編機、横編機等の編機で、従来より少ない適宜のゲージ数で粗く編むことにより、編み方向及び編み方向と交差する方向への伸縮、換言すれば二次元方向への伸縮が可能なシート形に作られており、表面にパイルを有する。地糸にナイロン及びポリウレタンを用いる場合、ナイロンとポリウレタンとの割合は、例えば８０：２０〜９０：１０（質量比）である。編地は例えば蒸気、プリント加工による熱、洗濯した後に乾燥する乾燥熱等により全体を熱処理して５０〜８０％の大きさに収縮されている。これにより、例えば横幅が略３５０〜１０００ｍｍ、縦幅が略４００〜９００ｍｍに伸縮するように構成された便座蓋カバー１０が得られる。温水洗浄便座で大きいものは、非温水洗浄便座の小型のものの略２．５倍の面積を有するが、本実施の形態に係る便座蓋カバー１０は上述のように伸縮の幅が大きく、種々の大きさ及び形状の便座に装着することができる。
そして、基布にパイル加工したものと異なり、編地は軽量であるところ、上述したようにゲージ数を減じているので、より軽量になっている。
【００２６】
本体１はＵ字状をなす湾曲縁部１ａと、該湾曲縁部１ａに連なり湾曲縁部１ａと交叉する方向へ傾斜する２つの傾斜縁部１ｂ，１ｂと、各傾斜縁部１ｂ，１ｂに連なる平坦縁部１ｃとを有しており、湾曲縁部１ａ、傾斜縁部１ｂ，１ｂ、平坦縁部１ｃの縁部にゴム紐部２が取着されている。
第１フック３，３，３は、湾曲縁部１ａの中央部分、各傾斜縁部１ｂ寄りの部分に夫々設けられている。
係止部５，５は平坦縁部１ｃの両端部に設けられ、第２フック部４，４は傾斜縁部１ｂ，１ｂの湾曲縁部１ａ側の端部に夫々設けられている。
【００２７】
第１フック３は可撓性を有する例えばシリコーン等の合成樹脂からなり、所定の幅を有する舌状をなし、先端部が少し反っている板部３１と、板部３１の他端部に設けられ、先端部に向けて屈曲した鉤部３２とを有する。第１フック３，３，３は、鉤部３２，３２，３２の屈曲部分の外側が湾曲縁部１ａの端縁側に対向する状態で、板部３１の反っている部分の少し内側を本体１に縫い付けてある。
【００２８】
第２フック４は、先細の台形状をなす板部４１と、板部４１の幅狭側の端部に設けられ、先細になっている鉤部４２と、板部４１の幅広側の端部に設けられ、中央部に穴部を有するゴム通し部４３と、前記穴部を通して二つ折りにし、傾斜縁部１ｂの前記端部に取着されるゴム紐部４４とを有する。板部４１、鉤部４２、及びゴム通し部４３は合成樹脂からなる。
係止部５は合成樹脂からなり、梯子状をなし、厚み略１ｍｍの薄板である本体５１と、５つの横桟部５２と、一端側に設けられ、半円状をなし、中央部に穴部を有するゴム通し部５３と、前記穴部を通して二つ折りにし、平坦縁部１ｃの前記端部に取着されるゴム紐部５４とを有する。本体５１、５つの横桟部５２、及びゴム通し部５３は可撓性を有する合成樹脂からなる。
【００２９】
図４は、便座蓋カバー１０を便座蓋２２に取り付けた状態を示す正面図である。
以下、便座蓋カバー１０を便座蓋２２に装着する手順について説明する。
便座蓋カバー１０を便座蓋２２に装着する場合、まず、便座蓋カバー１０の裏面を便座蓋２２の表面に対向させた状態で、便座蓋２２の上に載置する。
次に、本体１の湾曲縁部１ａの近傍部分を便座蓋２２の前端部に引っ掛けた状態で、伸長量を調整しつつ、本体１及びゴム紐部２を引き伸ばし、第１フック３，３，３を、便座蓋２２の側部２２２の中央部、及び両端部寄りの部分の縁部に係止する。
【００３０】
図３は、第１フック３を便座蓋２２の側部２２２の中央部の縁部に係止する状態を示す一部平面図である。図３においては、本体１の周縁部を引っ張った状態を示している。上述したように、第１フック３は可撓性を有する例えばシリコーン等の合成樹脂からなるので、変形させて側部２２２の縁部に容易にフレキシブルに取り付けることができ、縁部に確実に嵌めることができ、嵌めた後は動かないようにすることができる。特にシリコーンを用いた場合、第１フック３はより良好な滑り止め性を有し、ずれにくい。
【００３１】
そして、便座蓋２２を下ろして、便座蓋２２と枢軸部２４との間に、係止部５，５を挿通させる。本体１の傾斜縁部１ｂ，１ｂの近傍部分を便座蓋２２の後端部分に引っ掛け、便座２３とともに枢軸部２４の枢軸に枢支される便座蓋２２の後端部と枢軸部２４との間の比較的狭い隙間から便座蓋２２の裏面側へ係止部５を引き出すことになるが、この係止部５は扁平板により形成されているため、ゴム通し部５３を摘んだ状態で係止部５を前記隙間から便座蓋２２の裏面側へ挿入することができ、さらに係止部５の先端部を摘んで係止部５を便座蓋２２の裏面側へ容易に抜き出すことができる。
【００３２】
そして、再度、便座蓋２２を上げて、各係止部５に各第２フック４を係止する。このとき便座蓋２２の大きさ、及び本体１の伸び具合を考慮して、第２フック４を５つのうちのどの横桟部５２に係止するかを決定する。このように係止部５に第２フック４を係止することにより、便座蓋カバー１０が便座蓋２２から外れるのを防ぐことができる。
再度、便座蓋２２を下ろして、便座蓋カバー１０の形を整える。ここで、第１フック３がずれていた場合、ずれを直す。
【００３３】
本実施の形態に係る便座蓋カバー１０は３つの第１フック３を便座蓋カバー１０の側部２２２の縁部に係止するので、本体１が便座蓋２２の内側に回り込み、便座２３と干渉して便座蓋２２と便座２３との間に隙間が生じたり、便座蓋２２が閉まらなくなるのが防止される。従って、便座蓋２２の保温性が維持され、省エネルギー化が図られる。そして、便座２３が便座蓋２２内に完全に収容されており、便座蓋カバー１０の一部が内側に引っ張られて形状がいびつになり、便座蓋２２の一部が露出することもなく、意匠性が維持され、外観が良好である。また、自動開閉型の便器２０の便座蓋２２に装着した場合には、便座蓋カバー１０が便座蓋２２の内側に回り込むことにより自動開閉ができなくなるという問題が生じない。
【００３４】
図５は、本実施の形態に係る便座蓋カバーにより、他の非温水洗浄便座が有する便座蓋を覆った状態を示す平面図である。
この便座蓋６２は便座（不図示）の表面及び側面を覆うのではなく、便座に載置されるように構成されている。便座蓋カバー１０を便座蓋６２に装着する場合、本体１の平坦縁部１ｃの近傍部分が便座蓋６２の後端部に引っ掛けられるため、便座蓋６２の後端部と枢軸部２４との間の隙間に係止部５を挿入することなく、便座蓋６２の両側から係止部５を便座蓋６２の裏面側へ位置させることができる。そして、係止部５をクロスさせた状態で、第２フック４を係止することにより、便座蓋カバー１０により緩みなく便座蓋６２を覆うことができ、便座蓋カバー１０が便座蓋６２から外れるのを防ぐことができる。この便器は便座上に便座蓋を載置するタイプのものであり、便座と便座蓋との間の後端側等において隙間が生じており、便座蓋カバー１０の周縁部が内側に回り込み、隙間が大きくなっても問題はない。
【００３５】
以上のように、本考案に係る便座蓋カバー１０は、種々の大きさ及び形状の便座蓋に密着させ、ずれがない状態で装着することができる。そして、軽量であるので、上述したように便座蓋が閉まらなくなることが防止されていることと相まって、自動開閉型の便器の便座蓋にも装着することができる。
なお、今回開示された実施の形態は、全ての点で例示であって、制限的なものではないと考えるべきである。本考案の範囲は、上述した意味ではなく、実用新案登録請求の範囲と均等の意味及び実用新案登録請求の範囲内での全ての変更が含まれることが意図される。
【符号の説明】
【００３６】
１  本体
２  ゴム紐部
３  第１フック
３１  板部
３２  鉤部
４  第２フック
４１  板部
４２  鉤部
４３  ゴム通し部
４４  ゴム紐部
５  係止部
５１  本体
５２  横桟部
５３  ゴム通し部
５４  ゴム紐部
１０  便座蓋カバー
２０  便器
２１  便器本体
２２  便座蓋
２３  便座
２４  枢軸部
【図１】
0003186549.tif 000003
【図２】
0003186549.tif 000004
【図３】
0003186549.tif 000005
【図４】
0003186549.tif 000006
【図５】
0003186549.tif 000007